(57)【特許請求の範囲】
【請求項１】
照明系（４４）であって、
コレクター（４５）によって集光されたＥＵＶ照明光（１４）を物体視野（５）に案内する照明光学系（４）を有し、
前記コレクター（４５）は、前記ＥＵＶ照明光（１４）を放射線源（３）から前記照明光学系（４）に伝達するように機能し、
前記照明光学系（４）は、
多数の視野ファセット（３２）を有する視野ファセットミラー（１７）と、
前記視野ファセット（３２）を互いの上に重ねる方式で前記物体視野（５）内に結像する瞳ファセット伝達光学系の一部である多数の瞳ファセット（３４n）を有する瞳ファセットミラー（２０）と、
を有し、
前記コレクター（４５）は、前記放射線源（３）を複数の下流焦点領域（４７n）内に結像するコレクター結像光学系を有し、前記視野ファセット（３２）は、前記下流焦点領域（４７n）のうちの１つを前記瞳ファセット（３４n）のうちの１つの上にそれぞれ結像する視野ファセット伝達光学系の一部であり、
前記コレクター結像光学系は、
前記放射線源（３）が、その下流に配置された第１の焦点領域（４７1）内に、前記放射線源（３）とその下流に配置された前記第１の焦点領域（４７1）の間の光軸（ｏＡ）に対してビーム角（α）＜２０°で前記放射線源（３）によって放出された前記ＥＵＶ照明光（１４）によって第１のコレクター結像スケール（βK1）で結像され、
前記放射線源（３）が、その下流に配置され、かつ前記第１の焦点領域（４７1）から空間的に分離された第２の焦点領域（４７3，４７3’）内に、前記放射線源（３）とその下流に配置された前記第１の焦点領域（４７1）の間の光軸（ｏＡ）に対してビーム角（α）＞７０°で前記放射線源（３）によって放出された前記ＥＵＶ照明光（１４）によって第２のコレクター結像スケール（βK2）で結像される、
ように具現化され、
前記視野ファセット伝達光学系は、
前記第１の焦点領域（４７1）が、第１のファセット結像スケール（βF1）で結像され、
前記第２の焦点領域（４７3，４７3’）が、第２のファセット結像スケール（βF2）で結像される、
ように具現化され、
前記第１のコレクター結像スケール（βK1）と前記第１のファセット結像スケール（βF1）との積（βK1×βF1）は、前記瞳ファセット（３４n）までの前記照明光（１４）の全ての光路（３５n）に関して、前記第２のコレクター結像スケール（βK2）と前記第２のファセット結像スケール（βF2）との積（βK2×βF2）から２．５倍よりも大きくなく異なる、
ことを特徴とする照明系（４４）。
【請求項２】
請求項１に記載の照明系（２；３０；４４）を有し、
前記放射線源（３）を有する、
ことを特徴とする投影露光装置（１）。
【請求項３】
ナノ構造化又は微細構造化構成要素を生成する方法であって、
レチクル（７）を与える段階と、
照明光ビーム（１４）の光に感受性であるコーティングを有するウェーハ（１２）を与える段階と、
請求項２に記載の投影露光装置を用いて前記レチクルの少なくとも一部分を前記ウェーハ（１２）上に投影する段階と、
前記照明光ビーム（１４）によって露光された前記ウェーハ（１２）上の前記感光層を現像する段階と、
を含むことを特徴とする方法。
【発明の詳細な説明】
【技術分野】
【０００１】
ドイツ特許出願第１０  ２０１３  ２１８  １３２．９号明細書の内容が、引用によって本明細書に組み込まれている。
【０００２】
本発明は、コレクターによって集光されたＥＵＶ照明光を物体視野に案内する照明光学系を有する照明系に関する。本発明は、更に、ＥＵＶ照明光を放射線源領域から照明光学系に向けて伝達するためのコレクター、そのような照明系を有する投影露光装置、そのような投影露光装置を用いて微細構造化又はナノ構造化構成要素を生成する方法、及び本方法によって製造される構成要素に関する。
【背景技術】
【０００３】
冒頭に示すタイプのコレクターは、ＵＳ  ６，５０７，４４０  Ｂ１、ＤＥ  １０  ２０１０  ０６３  ５３０  Ａ１、ＷＯ  ２０１１／１３８２５９  Ａ１、ＵＳ  ７，０７５，７１２  Ｂ２、ＵＳ  ７，５０１，６４１  Ｂ２、ＵＳ  ２００６／０１７６５４７  Ａ１、ＵＳ  ２００６／０１２０４２９  Ａ１、ＵＳ  ７，０７５，７１３  Ｂ２、ＥＰ  １  ４６９  ３４９  Ａ１、ＵＳ  ２００８／０２６６６５０  Ａ１、ＷＯ  ２００７／０４５  ４３４  Ａ２、ＵＳ  ６，４３８，１９９  Ｂ１、ＵＳ  ５，３３９，３４６  Ａ、ＥＰ  １  ６５０  ７８６  Ｂ１、ＤＥ  １０  ２０１１  ０８４  ２６６  Ａ、及びＷＯ  ２０１３／０５３  ６９２  Ａから公知である。
【先行技術文献】
【特許文献】
【０００４】
【特許文献１】ドイツ特許出願第１０  ２０１３  ２１８  １３２．９号明細書
【特許文献２】ＵＳ  ６，５０７，４４０  Ｂ１
【特許文献３】ＤＥ  １０  ２０１０  ０６３  ５３０  Ａ１
【特許文献４】ＷＯ  ２０１１／１３８２５９  Ａ１
【特許文献５】ＵＳ  ７，０７５，７１２  Ｂ２
【特許文献６】ＵＳ  ７，５０１，６４１  Ｂ２
【特許文献７】ＵＳ  ２００６／０１７６５４７  Ａ１
【特許文献８】ＵＳ  ２００６／０１２０４２９  Ａ１
【特許文献９】ＵＳ  ７，０７５，７１３  Ｂ２
【特許文献１０】ＥＰ  １  ４６９  ３４９  Ａ１
【特許文献１１】ＵＳ  ２００８／０２６６６５０  Ａ１
【特許文献１２】ＷＯ  ２００７／０４５  ４３４  Ａ２
【特許文献１３】ＵＳ  ６，４３８，１９９  Ｂ１
【特許文献１４】ＵＳ  ５，３３９，３４６  Ａ
【特許文献１５】ＥＰ  １  ６５０  ７８６  Ｂ１
【特許文献１６】ＤＥ  １０  ２０１１  ０８４  ２６６  Ａ
【特許文献１７】ＷＯ  ２０１３／０５３  ６９２  Ａ
【特許文献１８】ＷＯ  ２０１２／０１３  ２４１  Ａ１
【発明の概要】
【発明が解決しようとする課題】
【０００５】
本発明の目的は、照明視野又は物体視野へのＥＵＶ照明光の効率的な伝達を確実にするような冒頭に示すタイプのコレクターを特に照明系の一部として開発することである。
【課題を解決するための手段】
【０００６】
本発明により、上述の目的は、請求項１に指定する特徴を有する照明系と、請求項２に指定する特徴を有するコレクターとによって達成される。
【０００７】
本発明により、放射線源によって放出されるＥＵＶ照明光のビーム角へのコレクター結像光学系の結像スケールの適応化の結果として、下流焦点領域の断面には有利に小さい変動しか存在しない。それによってコレクターの下流に配置された照明系の有利に高い瞳充填を有する瞳照明が可能になる。照明系内では、全体的な像のスケール変動が有利に小さく保たれるように、介在する下流焦点領域を通して放射線源領域を瞳ファセット上に結像するときのスケール変動は、コレクター結像光学系と視野ファセット伝達光学系との間で分割される。瞳ファセットに向う照明光の全ての光路に関して、コレクター結像スケールと関連のファセット結像スケールとの間の積は、２．２５よりも大きくなく、２．０よりも大きくなく、１．９よりも大きくなく、１．８よりも大きくなく、１．７よりも大きくなく、１．６よりも大きくなく、又は他に１．５よりも大きくなく、又は更に１．２５よりも大きくなく異なることができる。それによって同じくコレクターに関しても説明する利点がもたらされる。
【０００８】
上述の問題に対する解決法の関連で上記に解説した結像スケールは、１つのビーム角領域に対してそれぞれ平均化された結像スケールである。この結像スケールは面積結像スケールである。
【０００９】
コレクターは、４５°よりも小さい入射角でＥＵＶ照明光を案内するように具現化することができ、すなわち、照明光の実質的な法線入射（ＮＩ）のためのコレクターとして具現化することができる。コレクター上への照明光の入射角は、４０°よりも小さく、３５°よりも小さく、３０°よりも小さく、２５°よりも小さく、２２．５°よりも小さく、又は２０°よりも小さいとすることができる。特に、コレクター上への全ての入射角は、上述の上限よりも小さいとすることができる。
【００１０】
本発明によるコレクターでは、一方で２０°よりも小さいビーム角に対する結像スケールと、他方で７０°よりも大きいビーム角に対する結像スケールとは、２．２５倍よりも大きくなく、２．０倍よりも大きくなく、１．９倍よりも大きくなく、１．８倍よりも大きくなく、１．７倍よりも大きくなく、１．６倍よりも大きくなく、１．５倍よりも大きくなく、更に１．２５倍よりも大きく異なることができる。
【００１１】
請求項３に記載のコレクターでは、結像スケールの変動は、コレクター結像ミラーによって目標を定めた方式で最小にされ、それによって下流焦点領域の断面の広がりの調和が保証される。各コレクター結像ミラーの最大結像スケールと最小結像スケールの間の比は、最大で１．９とすることができ、最大で１．８とすることができ、最大で１．７とすることができ、例えば、１．６７の領域内に収まるとすることができる。
【００１２】
請求項４に記載のリングミラーは、回転対称放出放射線源領域を記録するときの対称性に良好に適応される。リングミラーは、互いの中に同軸に位置するように配置することができる。
【００１３】
請求項５に記載の楕円体ミラー面は、比較的少ないコストで製造することができる。
【００１４】
請求項６に記載の球面光学系は、コレクターによって利用可能な放射線源の周りの立体角を増大させる。
【００１５】
請求項７に記載の照明系の利点は、本発明によるコレクターを参照して上記で説明したものに対応する。ビーム経路内、特に視野ファセットミラーの上流での放射線源の中間結像が省かれ、それによって照明系の光学設計が簡素化される。
【００１６】
請求項８に記載の狭窄領域は、放射線源モジュールのその下流に配置された照明系の照明モジュールからの分離を可能にする。このようにして、放射線源の構成要素によって放出される随伴異質粒子をより容易に抑制することができる。狭窄領域は、照明系内で狭窄領域の下流に配置される下流焦点領域とはもはや一致しない。
【００１７】
請求項９に記載の別々のコレクターミラーは、狭窄効果を有し、更に狭窄の場所において非結像効果を有するコレクター結像光学系の製造を簡易化する。コレクターミラーは、自由曲面として設計されたミラー面を有することができる。ここで、自由曲面は、回転対称関数によって数学的に表すことができない面である。その例は、ＷＯ  ２０１２／０１３  ２４１  Ａ１及びその中に引用されている参考文献に示されている。コレクターミラーは、その上への照明光の最大入射角が４５°よりも小さいように具現化され、かつそのように配置することができる。
【００１８】
請求項１０に記載の縁部輪郭設計は、照明系における照明光の効率的な誘導をもたらす。
【００１９】
請求項１１に記載のコレクターミラーの矩形又は正方形縁部輪郭に対する代替として、コレクターミラーの縁部輪郭は、六角形実施形態を有することができる。
【００２０】
請求項１２に記載の投影露光装置、請求項１３に記載の生成方法、及び請求項１４に記載の微細構造化又はナノ構造化構成要素の利点は、本発明によるコレクター又は本発明による照明系を参照して上記で説明したものに対応する。
【００２１】
本発明の例示的実施形態を図面に基づいて下記でより詳細に説明する。
【図面の簡単な説明】
【００２２】
【図１】ＥＵＶ照明光学系とＥＵＶコレクターとを有するＥＵＶ照明系を有するＥＵＶ投影リソグラフィのための投影露光装置を通る略子午断面図である。
【図２】互いに別々に配置され、一部がリングミラーとして具現化された複数のコレクター結像ミラーを有するＥＵＶコレクターの実施形態の子午断面図である。
【図３】同じく互いに別々に配置され、一部がリングミラーとして具現化された複数のコレクター結像ミラーを有し、かつ同じくリングミラーとして具現化された球面光学系を有するコレクターの更に別の実施形態を示す斜視図である。
【図４ａ】互いに垂直な空間座標にわたってプロットした強度ダイヤグラム内に表し、光軸に対して小さいビーム角を有する照明光の成分を有する図３に記載のコレクターを用いて生成された放射線源領域の像を示す図である。
【図４ｂ】互いに垂直な空間座標にわたってプロットした強度ダイヤグラム内に表し、光軸に対して大きいビーム角を有する照明光成分を有する図３に記載のコレクターを用いて生成された放射線源領域の像を示す図である。
【図５】コレクターと、図示の２つの瞳ファセットを有する視野ファセットミラーと、図示の２つの瞳ファセットを有する瞳ファセットミラーとの実施形態を有し、コレクター結像光学系の放射線源領域の第１の結像が放射線源領域の背後の光路内で放射線源領域の下流に配置された瞳ファセットミラーの領域に位置する焦点領域内で発生する照明系の更に別の実施形態の一部分を略例示する類似の子午断面図である。
【図６】視野ファセット及び瞳ファセットの反射効果を省略し、ＥＵＶ照明光のビーム経路を図５に記載のコレクターの互いに別々に配置された複数のコレクター結像ミラーの下流焦点領域に至るまで描示した図５に記載の照明系の実施形態を示す斜視図である。
【図７ａ】９×９個のコレクター結像ミラーの格子を有する図５及び図６に記載のコレクターの実施形態に対する遠視野強度分布を図５と類似の強度表現に示す図である。
【図７ｂ】１９×１９個の結像ミラーの格子を有する図５及び図６に記載のコレクターの実施形態に対する遠視野強度分布を図５と類似の強度表現に示す図である。
【図８】コレクターと、視野ファセットミラーと、瞳ファセットミラーとを有する照明系の更に別の実施形態を示すより良好な視覚化に向けて視野ファセットミラーの反射効果を省略した図である。
【図９】コレクターのコレクター結像ミラーと視野ファセットミラーの視野ファセットとの間の図８に記載の照明系の照明光の例示的ビーム経路を示す斜視図である。
【図１０】弓形視野ファセットを有する視野ファセットミラーの一実施形態において互いに隣に位置する２つの視野ファセットから構成される視野ファセット群の縁部輪郭に類似である互いに別々に配置された複数のコレクターミラーのうちのあるコレクターミラーのミラー面の縁部輪郭の実施形態を示す概略図である。
【図１１】図９に記載のコレクターの個々のコレクター結像ミラーと図９に記載の視野ファセットミラーの視野ファセットとの間の照明光の光路を例示的に示し、放射線源領域の下流に配置され、コレクター結像ミラーによって生成された第１の焦点領域の配置を各場合に更に描示するコレクターと視野ファセットミラーの間の光軸の方向に見た図である。
【発明を実施するための形態】
【００２３】
図１は、マイクロリソグラフィのためのＥＵＶ投影露光装置１を子午断面図に略示している。投影露光装置１の照明系２は、放射線源又は光源３に加えて、物体平面６における物体視野又は照明視野５の露光のための照明光学系４を有する。次に、物体視野５に配置され、レチクルホルダ８（この図には区画的にしか描示していない）によって保持されるレチクル７が露光される。投影光学ユニット９は、物体視野５を像平面１１の像視野１０に結像するように機能する。レチクル７上の構造は、この図ではまた、略示するウェーハホルダ１３によって保持され、像平面１１の像視野１０の領域に配置されたウェーハ１２の感光層上に結像される。照明光学系４と投影光学系９とは、合わさって投影露光装置１内の光学系を形成する。
【００２４】
放射線源３は、５ｎｍと３０ｎｍの間の範囲に放出使用放射線を有するＥＵＶ放射線源である。次に、ＥＵＶ放射線源はプラズマ光源、特にＬＰＰ（レーザ生成プラズマ）光源とすることができる。また、ＥＵＶ放射線源は、例えば、ＤＰＰ（ガス放電生成プラズマ）光源とすることができる。放射線源３から発するＥＵＶ放射線１４は、図１ではブロックとして非常に概略的に示すコレクター１５によって受光及びフォーカスされる。コレクター１５に対しては、下記で更により詳細に説明する。以下ではＥＵＶ放射線２４を使用放出光、照明光、又は結像光とも記す。図１に記載の実施形態において、ＥＵＶ放射線１４は、コレクター１５の下流で中間焦点面１６を通って伝播し、その後に、視野ファセットミラー１７上に入射する。そのような中間焦点面１６は必須ではない。図１に略示するような単一中間フォーカスの代わりに、複数の中間フォーカス、又は他に様々な平面内の非点フォーカスが存在すること、又は中間フォーカスが存在しないことも可能であり、これらに対しても下記で説明する。視野ファセットミラー１７は、物体平面６に対して光学的に共役な照明光学系４の平面１８に配置される。この平面１８内には、コレクター１５からの使用放出光１４を伝達することによって形成される、ＥＵＶ放射線１４の照明遠視野１９が存在する。視野ファセットミラー１７全体の間隙不在の照明をもたらすことができる。
【００２５】
視野ファセットミラー１７の下流では、ＥＵＶ放射線１４は瞳ファセットミラー２０によって反射される。瞳ファセットミラー２０は、投影光学系９の瞳平面に対して光学的に共役な照明光学系４の瞳平面に配置される。瞳ファセットミラー２０を結像するビーム経路の順番に命名したミラー２２、２３、及び２４を有する更に別の伝達光学系２１の形態にある光学アセンブリを用いて、視野ファセットミラー１７の視野ファセットは、物体視野５内に互いの上に重ねる方式で結像される。伝達光学系２１の最後のミラー２４は、かすめ入射ミラーであり、すなわち、４５°よりもかなり大きく、６０°よりも大きいとすることができる入射角を有するミラーである。瞳ファセットミラー２０及び伝達光学系２１は、照明光１４を物体視野５内に伝達するための連続光学系を形成する。特に瞳ファセットミラー２０が投影光学系９の入射瞳に配置される場合は伝達光学系２１を省くことができる。次に、瞳ファセットミラー２０は、照明視野５内への視野ファセットミラー１７の視野ファセットの重ね合わせ結像のための唯一の伝達光学系を構成する。
【００２６】
位置関係の説明を簡素化するために、図１は、物体平面６と像平面１１の間の投影露光装置１の構成要素の位置関係の説明に向けた広域座標系として直交ｘｙｚ座標系を示している。ｘ軸は、図１の作図面と垂直に、その中に入り込むように延びている。ｙ軸は、図１の右に向けて延びている。図１では、ｚ軸は下向きに、すなわち、物体平面６及び像平面１１と垂直に延びている。更に、場合により、使用放出光１４のビーム経路に沿って局所ｘｙｚ座標系を指定する。これらの局所座標系のｚ軸は、各場合に使用放出光１４のビーム方向を指定する。局所座標系のｘ軸は、通常は広域座標系のｘ軸と平行に延びている。局所座標系の向きに基づいて、局所座標系のｙ軸は、広域座標系のｙ軸に対して傾斜している。
【００２７】
投影露光中に、レチクル７とウェーハ１２が、変位方向、すなわち、広域ｘｙｚ座標系のｙ方向に物体視野５及び中間フォーカス１０それぞれを通して走査されるように、レチクルホルダ８とウェーハホルダ１３は、両方共に制御される方式で変位可能である。下記では、変位方向ｙを走査方向とも記す。
【００２８】
ＥＵＶコレクター１５は、使用放出光１４をＥＵＶ放射線源３からＥＵＶ遠視野１９に伝達するように機能する。ＥＵＶ遠視野１９内には、視野ファセットミラー１７が、使用放出光１４を照明視野５内に伝達する更に別のＥＵＶミラー構成要素として配置される。
【００２９】
図２は、コレクター１５の実施形態を子午断面図に示している。図１を参照して上記で説明した構成要素及び機能は同じ参照符号を伴い、これらに対して再度詳細に解説することはしない。図２には局所直交ｘｙｚ座標系を示している。図２に記載の座標系のｘ軸は、図１に記載の広域座標系のｘ軸と平行に延び、図２の作図面と垂直に、この作図面から現れるように延びている。ｙ軸は図２の上方に延びている。図２では、ｚ軸は左に延び、コレクター１５の背後の照明光１４のビーム経路の主光線方向と平行に延びている。ｚ軸は、光源３、例えば、放射線源領域とも記す放出プラズマ体積域と中間フォーカス２５（図１を参照されたい）との間の接続線に沿って延びている。同時に、放射線源領域３とその下流に配置された焦点領域２５との間のこの接続線は、コレクター１５の光軸ｏＡを構成する。中間フォーカス２５は、下流の焦点領域を構成する。この下流の焦点領域２５内では、コレクター１５は、コレクター結像光学系２６を用いて放射線源領域３を結像する。
【００３０】
コレクター１５は、ｚ軸に関して回転対称方式で具現化される。
【００３１】
コレクター結像光学系２６は、互いに別々に配置された複数のコレクター結像ミラー２７nを有し、図２の子午断面図には、そのうちの３つの最内側コレクター結像ミラー２７1、２７2、及び２７3を破線を用いて正のｙ値の半空間内に描示している。最内側コレクター結像ミラー２７1を除き、全ての他のコレクター結像ミラー２７nは、リングミラーとして具現化される。リングミラー２７nは、互いに同軸上に位置付けられるように配置される。ｚ軸に最も近い最内側コレクター結像ミラー２７1は楕円体シェルとして具現化される。最内側コレクター結像ミラー２７1は、ｚ軸が交わる場所では、楕円体シェルは、放射線源領域３内でプラズマを点火するためのレーザビームに対する通路開口部を有することができる。更に別のコレクター結像ミラー２７2から２７nの各々は、図２の正のｙ値の半空間内でコレクター結像ミラー２７2、２７3、及び２７nに対して破線に示す楕円体ミラー面を順次有する。
【００３２】
図２では、コレクター結像ミラー２７nへの再分割を鋸歯状の実線に示しており、その部分線は各場合に直線で延び、破線のミラー面と一致しない。
【００３３】
コレクター結像ミラー２７1は、放射線源領域３によって５５°よりも小さいビーム角α1で放出されるＵＶ照明光１４を受光する。コレクター１５の第２の楕円体シェルであり、同時に第１のリングミラーでもあるコレクター結像ミラー２７2は、放射線源領域３によって５５°と約７３°の間のビーム角度範囲α2内で放出される照明光１４を受光する。次のコレクター結像ミラー２７3は、放射線源領域３によって約７３°と９０°の間のビーム角度範囲α3内で放出される照明光１４を受光する。その後のコレクター結像ミラー２７4から２７nは、放射線源領域３によって９０°と約１４５°の間のビーム角を網羅するそれぞれ割り当てられたビーム角度範囲αnで放出される照明光１４を受光する。従って、コレクター結像ミラー２７1から２７nは、各々が放射線源領域３とその下流に配置された焦点領域２５との間の光軸ｏＡに対してビーム角の角度範囲αn内で放出されるＥＵＶ照明光１４の成分を放射線源領域３から取得するように具現化される。
【００３４】
特に、最内側コレクター結像ミラー２７1は、放射線源領域３とその下流に配置された焦点領域２５との間の光軸に対してビーム角＜２０°で放射線源領域３によって放出されるＥＵＶ照明光１４を結像する。
【００３５】
最内側コレクター結像ミラー２７1によるこの結像は、第１の結像スケールβ1で達成される。
【００３６】
結像スケールβは、面積結像スケールである。従って、結像スケールβは、結像される面積を縮小又は拡大する比を指定する。
【００３７】
コレクター結像ミラー２７2は、その上にビーム角度範囲α2内で入射する照明光１４を第２の結像スケールβ2で結像する。第２のコレクター結像ミラー２７2によって結像される照明光は、ビーム角＞７０°で、すなわち、光軸ｏＡに対して７０°と７３°とのビーム角度範囲で放射線源領域３によって放出される照明光１４を含む。
【００３８】
図２には、第１にビーム角＜２０°で放出され、第２にビーム角＞７０°で放出され、コレクター結像ミラー２７1及び２７2それぞれによって結像される照明光１４のこれらの成分を１４1及び１４2の場所にハッチングに示している。
【００３９】
第１に最内側コレクター結像ミラー２７1によってビーム角＜２０°で下流の焦点領域２５に結像されるＥＵＶ照明光に対して、第２にビーム角＞７０°で第２のコレクター結像ミラー２７2によって結像される照明光１４に対する２つの結像スケールβ1,20とβ2,70、すなわち、これらの選択されるビーム角度範囲に対する結像スケールβ1とβ2は、２．５倍よりも大きくなく異なる。
【００４０】
コレクター１５の実施形態に基づいて、結像スケールβ1,20とβ2,70の間の差は、２．２５を超えないとすることができ、２．０を超えないとすることができ、１．９を超えないとすることができ、１．８を超えないとすることができ、１．７を超えないとすることができ、１．６を超えないとすることができ、更に１．５を超えないとすることができる。結像スケールβ1,20とβ2,70の間のこれらの最大差に基づいて、第１に放射線源領域３をコレクター結像ミラー２７1を通して結像し、第２にコレクター結像ミラー２７2を通して結像することでもたらされる中間焦点領域２５の相応に小さいサイズ差が現れる。従って、異なるビーム角に関してビーム角αに適応される結像スケールを用いて低減される結像スケール変動の結果として、中間焦点領域２５（図１を参照されたい）内には、放射線源領域３から異なるビーム角α1で放出される照明光成分に対する様々な放射線源像サイズの相応に低減された変化しか存在しない。それによって全体的に、より小さいサイズ変動しか伴わない中間焦点領域２５がもたらされる。
【００４１】
従って、第３のコレクター結像ミラー２７3に対する結像スケールβ3も、結像スケールβ1,20及びβ2,70と比較して、この場合にも小さい結像スケール差しかもたらされないように照明光１４のビーム角α3に適応される。
【００４２】
各コレクター結像ミラー２７nの結像スケールβnは、コレクター結像ミラー２７n上の照明光１４のそれぞれのビーム角αnに基づいて、最小結像スケールβn,minと最大結像スケールβn,maxの間で変化する。１つの同じコレクター結像ミラー２７n上のこれらの結像スケールの間の比βn,max／βn,minには、βn,max／βn,min≦２が適用される。実施形態に基づいて、この比は、≦１．９とすることができ、≦１．８とすることができ、≦１．７とすることができ、例えば、１．６７に等しいとすることができる。
【００４３】
図２に記載の実施形態において、各コレクター結像ミラー２７nに対して正規化されたスケール変動βn／β0は、間隔［０．７５，１．２５］内に収まる。この場合β0は、コレクター１５に対して全体的に所定の標準結像スケールである。
【００４４】
図３は、図１及び図２に記載のコレクター１５の代わりに使用することができるコレクターの更に別の実施形態２８を示している。図１及び図２を参照して上記で説明したものに対応する構成要素及び機能は同じ参照符号を伴い、これらに対して再度詳細に解説することはしない。
【００４５】
コレクター２８は、図２に関連付けて上記で説明したものに対応する設計を有する３つの内側コレクター結像ミラー２７1、２７2、及び２７3を有する。３つのコレクター結像ミラー２７1から２７3によって９０°の最大ビーム角α3,maxまでに上るビーム角度範囲αが得られる、すなわち、このビーム角度範囲は、図２に記載のコレクター１５のリングミラー２７1から２７3によって得られたものと同じビーム角度範囲である。
【００４６】
更に別のリングミラー２７nの代わりに、コレクター２８は、放射線源領域３をその領域に位置し、すなわち、放射線源像領域３と一致するか又は放射線源像領域３に密接する放射線源像領域３’内で実質的に放射線源領域３自体の上に結像する球面光学系２９を有する。コレクター２８の場合に、これらの球面光学系２９も同じくリングミラーとして具現化され、放射線源領域３が照明光を放出する際の９０°と約１４０°の間のビーム角αの範囲を網羅する。球面光学系２９において、照明光１４は、実質的にそれ自体の上に反射して戻され、その後に、放射線源像領域３’から、図２に関連付けて上記で説明したようにコレクター結像ミラー２７1から２７3によって中間焦点領域２５に結像される。
【００４７】
図４は、中間焦点面１６内の照明光１４のビーム成分のｘｙ断面、すなわち、中間焦点領域２５のそれぞれの成分を通る断面を例示的に示している。
【００４８】
次に、図４ａは、コレクター結像ミラー２７1によって小さいビーム角で、例えば、ビーム角α≦１０°で反射される照明光１４のビーム成分を示している。中間焦点領域２５内の関連の照明光１４の成分の直径は、任意単位で４．０である。この直径をＤ0とも記す。
【００４９】
図４ｂは、コレクター結像ミラー２７3によって９０°の領域内のビーム角αで中間焦点領域２５に結像される照明光１４のビーム成分に関する対応する直径を示している。同じ任意単位で、この照明光成分の直径は３．２である。この直径をＤ90とも記す。
【００５０】
照明光１４の上述の成分の間の直径比Ｄ0／Ｄ90は４．０／３．２＝１．２５である。従って、第１に図４ａに記載の小さいビーム角と、第２に図４ｂに記載の大きいビーム角とに関する中間焦点領域の面積比にはＡ0／Ａ90＝１．５６が適用される。
【００５１】
図５は、図１に記載の投影露光装置１内で照明系２の代わりに使用することができる照明系の更に別の実施形態３０を示している。図１から図４を参照して上記で説明したものに対応する構成要素及び機能は同じ参照符号を伴い、これらに対して再度詳細に解説することはしない。
【００５２】
照明系３０は、コレクター３１を有する。
【００５３】
図５に記載の概略図は、視野ファセットミラー１７の２つの視野ファセット３２1、３２2を示しており、これらの視野ファセットは、更に複数の個々のミラー３３から構成され、図５にはそのうちの３つの個々のミラー３３を各視野ファセット３２に対してそれぞれ示している。実際には、視野ファセット３２毎の個々のミラー３３の個数は、かなり大きいとすることができる。
【００５４】
実際には、視野ファセット３２の個数はかなり大きい。一例として、数百個の視野ファセット３２を視野ファセットミラー１７に存在させることができる。
【００５５】
更に図５は、照明チャネル３５1及び３５2を通して視野ファセット３２1及び３２2に関連付けられた、瞳ファセットミラー２０の２つの瞳ファセット３４1及び３４2を略示している。
【００５６】
図１に記載の焦点領域２５に機能的に対応する下流焦点領域２５は、放射線源領域３の下流の照明光１４のビーム経路内のコレクター３１のコレクター結像ミラー３６1、３６2による放射線源領域３の第１の像を構成する。照明系３０では、下流焦点領域２５は、瞳ファセットミラー２０の領域に位置する。
【００５７】
瞳ファセット３４は、図５に略示するように、視野ファセット３２を互いの上に重ねる方式で物体視野５に結像する瞳ファセット伝達光学系の一部である。
【００５８】
コレクター３１と、照明系３０の照明光学系４の第１の構成要素、すなわち、視野ファセットミラー１７との間には狭窄領域３７が置かれる。狭窄領域３７内では、ＥＵＶ照明光１４のビーム全体の断面は、視野ファセットミラー１７上の断面と比較して少なくとも２倍だけ縮小され、２つの視野ファセット３２しか描示していない図５の概略図には、この縮小を正確な縮尺では再現していない。
【００５９】
狭窄領域３７は、コレクター３１のコレクター結像光学系の焦点領域を構成しない。焦点領域２５は、照明光１４のビーム経路内で下流に、すなわち、瞳ファセットミラー２０の領域に配置される。視野ファセットミラー１７は、狭窄領域３７と焦点領域２５の間の照明光１４のビーム経路に配置される。
【００６０】
コレクター３１のコレクター結像ミラー３６nは、自由曲面として具現化される。コレクター結像ミラー３６nのミラー面３８は、コレクター結像ミラー３６n上での照明光１４の最大入射角γmaxが４５°よりも小さいように具現化される。コレクター結像ミラー３６nの縁部輪郭は、視野ファセット３２nの縁部輪郭と類似の実施形態を有する。
【００６１】
コレクター結像ミラー３６nは、矩形の縁部輪郭を有する。これに代えて、特に弓形視野ファセット３２nが使用される場合に、コレクター結像ミラー３６nの湾曲した、例えば、部分リング形の縁部輪郭も可能である。
【００６２】
図６は、特にコレクター３１の代わりに使用することができるコレクターの更に別の実施形態３９の概略図を示している。図１から図５の状況、特に図５の状況で上述した構成要素及び機能は同じ参照符号を伴い、これらに対して再度詳細に解説することはしない。
【００６３】
コレクター３９は、９×９行列の方式で行と列の格子状に面充填される形態で密充填配置された合計で８１個のコレクター結像ミラー３６nを有する。図６は、狭窄領域３７の下流のビーム経路にあり、かつ視野ファセットミラー１７の方式にある視野ファセットミラーに対する配置平面４０を描示している。図６には、視野ファセットミラー自体、更にその上における照明光１４に対する反射効果を描示していない。図６は、瞳ファセットミラー２０の方式にある瞳ファセットミラーが内部に配置されたこの図では斜視方式で描示した更に別の配置平面４１内に放射線源領域３の下流の照明光１４のビーム経路内又はその光路に沿って放射線源領域３の第１の像としてコレクター結像ミラー３６nによって生成される放射線源像４２nの９×９格子が提供されるような一部のコレクター結像ミラー３６nに対して例示的に描示した配置平面４０の背後の照明光１４のビーム経路の更に別の進路におけるコレクター結像ミラー３６nの結像効果を示している。各放射線源像４２nの場所には、瞳ファセットミラー２０の瞳ファセットが配置される。放射線源像４２nの配置平面４１は、コレクター３９の中間焦点領域２５を構成する。図６は、放射線源領域３の下流に配置されたこの第１の中間焦点領域４１が狭窄領域３７から空間的に分離されることを明確に示している。
【００６４】
図７は、第１にコレクター３９により、第２に１９×１９行列方式で配置されたコレクター結像ミラーを有する相応に設計された別のコレクターによって達成された照明光１４の遠視野変形を示している。異なる強度値Ｉを各場合に右に示すスケールに従ってハッチングしている。
【００６５】
図７ａ、図７ｂに記載の遠視野は、個々のコレクター結像ミラー３６nにわたって案内された照明光１４の部分ビームが狭窄領域３７の下流で再度完全に離散したばかりの場所に存在する。この遠視野では、いかなる遠視野点も、１よりも多いコレクター結像ミラー３６nからの光を捉えない。従って、配置平面４０における視野ファセットミラーの配置により、視野ファセットは、１よりも多いコレクター結像ミラー３６nによって反射された照明光１４による入射を受けることがなくなる。
【００６６】
狭窄領域３７を生成するためのコレクター結像ミラー３６nのアラインメントの傾斜の結果として、全体的な遠視野４３のタイル状オフセット部分別構成が遠視野内に現れる。図７ａに記載の９×９遠視野４３では、個々のコレクター結像ミラー３６nに関連付けられる隣接部分遠視野４３nにおける強度段差が図７ｂに記載の１９×１９遠視野の場合のものよりも大きい。
【００６７】
与えられたコレクターサイズでのコレクター３９の方式での行列状に配置されたコレクター結像ミラー３６nの個数が増大するときに、コレクターのサイズに対してより小さい狭窄領域３７の射出断面を有することができる。一例として、２０ｍｍ×２０ｍｍ又は他に４０ｍｍ×４０ｍｍの絶対寸法を有する狭窄領域３７の断面を達成することができる。
【００６８】
図８は、照明系２の代わりに投影露光装置内で同じく使用することができる照明系の更に別の実施形態４４を示している。図１から図７を参照して上記で説明したものに対応する構成要素及び機能は同じ参照符号を伴い、これらに対して再度詳細に解説することはしない。
【００６９】
照明系４４のコレクター４５は、コレクター結像ミラー４６nを有し、図８にはそのうちの合計で５つのコレクター結像ミラー、すなわち、最内側コレクター結像ミラー４６1と、それに隣接する２つの中央コレクター結像ミラー４６2、４６2’と、更にそれに隣接する外側コレクター結像ミラー４６3、４６3’とを示している。
【００７０】
最内側コレクター結像ミラー４６1は、放射線源領域３から光軸ｏＡに対して２０°よりも小さいビーム角で放出される照明光１４の成分を結像する。更に、外側コレクター結像ミラー４６3、４６3’によって結像されるビーム角は７０°よりも大きい。介在する中央コレクター結像ミラー４６2、４６2’は、介在する照明光１４のビーム角の照明光１４を結像する。
【００７１】
最内側コレクター結像ミラー４６1の結像効果は、コレクター結像ミラー４６1によって放射線源領域３の像として生成される中間フォーカス４７1が、放射線源領域３から距離Ｆ1の場所に配置されるようなものである。中間フォーカス４７1は、光軸ｏＡ上に位置する。
【００７２】
中央コレクター結像ミラー４６2、４６2’によって生成される中間フォーカス４７2、４７2’は、放射線源領域３からの距離Ｆ2を有し、この距離に対してＦ2＞Ｆ1が成り立つ。中間フォーカス４７2、４７2’は、光軸ｏＡからある距離の場所にある。
【００７３】
外側コレクター結像ミラー４６3、４６3’によって生成される中間フォーカス４７3、４７3’は、放射線源領域３からの距離Ｆ3を有し、この距離に対してＦ3＞Ｆ2が成り立つ。中間フォーカス４７3、４７3’も同じく光軸ｏＡからある距離の場所にある。
【００７４】
中間フォーカス４７1、４７2、４７2’、４７3、４７3’は、各場合に互いから空間的に分離される。
【００７５】
照明光１４のビーム全体の狭窄領域３７は、コレクター４５と、図８では前と同じく反射効果なく略示する視野ファセットミラー１７との間に位置する。
【００７６】
狭窄領域３７は、中間フォーカス４７の少なくとも一部のものから、すなわち、中間フォーカス４７1、４７2、及び４７2’から空間的に分離される。従って、この実施形態においても、狭窄領域３７は、焦点領域２５と一致しない。
【００７７】
異なる焦点距離Ｆ1、Ｆ2、Ｆ3の結果として、コレクター結像ミラー４６によって結像される照明光１４の異なるビーム角に起因して出現するコレクター結像ミラー４６の異なる結像スケールβKは、中間フォーカス４７のサイズ変動が低減されるように補償される。
【００７８】
中間フォーカス４７は、瞳ファセットミラー２０の瞳ファセット上に、それに関連付けられた視野ファセット４８nにより、瞳ファセット上の中間フォーカス４７の像が実質的に同じサイズを有し、かつ断面に関して例えば３０％よりも小さく、２０％よりも小さく、１５％よりも小さく、１０％未満だけ異なるか、又は僅か５％未満だけ異なるように、異なるファセット結像スケールβFで結像される。
【００７９】
第１の焦点領域、すなわち、中間フォーカス４７1は、例えば、第１のファセット結像スケールβF1で結像される。第２の焦点領域、例えば、中間フォーカス４７2、４７2’は、第２のファセット結像スケールβF2で結像される。図８に記載の実施形態において、全体的な焦点領域２５は、空間的に分離された様々な中間フォーカス４７nによって形成される。
【００８０】
図９は、コレクター結像ミラー４６nと視野ファセット４８nの間の関連を示している。図９には、コレクター結像ミラー４６と視野ファセット４８に対して、関係Ｆnの添字ｎを大きい数字としてそれぞれ描示している。中間フォーカス４７nによる反転効果の結果として、視野ファセットミラー１７上にはこれらの添字が逆さに結像されている。
【００８１】
コレクター結像ミラー４６nは、その縁部輪郭に関して、正方形実施形態、矩形実施形態、六角形実施形態、又は他に図１０に描示するように弓形実施形態を有することができる。次に、コレクター結像ミラー４６nは、詳細には描示していない個々の弧面として、又は他に入射する２つの隣接弓形視野ファセット４８nに対する二重弧面として形成することができる。１よりも多い視野ファセット４８n、例えば、視野ファセット４８nの群は、コレクター結像ミラー４６nを通して照明光１４による入射を受けることができる。視野ファセット４８nが行毎及び列毎に配置される限り、コレクター結像ミラー４６nを通して照明光１４による入射を同時に受ける視野ファセット４８nの群は、この視野ファセット配置の複数の列及び／又は複数の行に位置することができる。一例として、互いに隣に位置する弓形視野ファセット４８nの２つの列は、図１０に記載のコレクター結像ミラー４６nの縁部輪郭で照明することができる。
【００８２】
コレクター結像ミラー４６nの個数は、５と２５の間にあるとすることができる。
【００８３】
図１１は、コレクター結像ミラー４６nと視野ファセット４８nの両方の３×３行列配置の場合のコレクター結像ミラー４６nと視野ファセット４８nの間で可能な関連性Ｆnを示している。図１１に記載の図は、光軸ｏＡに沿う視線方向で作図したものである。コレクター結像ミラー４６nを大きい方の正方形として示し、視野ファセット４８nを小さい方の正方形として示している。図９の場合と同様に、図１１においてもコレクター結像ミラー４６nの添字は大きい数字として再現され、視野ファセット４８nの添字はより小さい逆さまの数字として再現される。同じ添字は、それぞれのコレクター結像ミラー４６nとそれぞれの視野ファセット４８nとの対応する照明光照明チャネル３５nを通じた関連を示している。更に、それぞれの中間フォーカス４７nの場所は、それぞれのコレクター結像ミラー４６nと関連の視野ファセット４８nとの間の照明チャネル内に描示している。
【００８４】
瞳ファセットミラー２０の瞳ファセットまでの照明光１４の全ての光路に関して、コレクター結像ミラー４６1のコレクター結像スケールβKと関連の視野ファセットのファセット結像スケールβFとの積は、更に別のコレクター結像ミラー４６nのコレクター結像スケールβKと視野ファセットの関連のファセット結像スケールβFとの積から２．５倍よりも大きくなく異なる。コレクター結像スケールと関連のファセット結像スケールとのスケール積のこの差は、照明系４５の実施形態に基づいて、最大で２．２５、最大で２．０、最大で１．９、最大で１．８、最大で１．７、最大で１．６、又は他に最大で１．５とすることができる。
【００８５】
図８に記載の視野ファセットミラー１７の視野ファセットは、焦点領域４７nのうちの１つを瞳ファセットミラー２０の瞳ファセットのうちの１つの上にそれぞれ結像する視野ファセット伝達光学系の一部である。
【００８６】
ナノ構造化又は微細構造化構成要素、例えば、半導体メモリチップを生成するために、最初に、レチクル７と、照明光１４の光に対して感受性を有するコーティングを有するウェーハ１２とが与えられる。次いで、投影露光装置１を用いてレチクル７の少なくとも一部分がウェーハ１２上に投影される。その後に、照明光１４に露光されたウェーハ１２上の感光層が現像される。放射線源の構成要素によって放出される随伴異質粒子は、狭窄領域内で抑制することができる。
【符号の説明】
【００８７】
３  光源
１５  コレクター
２６  コレクター結像光学系
α1  ５５°よりも小さいビーム角
ｏＡ  光軸
【図１】
0006485921.tif 000002
【図２】
0006485921.tif 000003
【図３】
0006485921.tif 000004
【図４ａ】
0006485921.tif 000005
【図４ｂ】
0006485921.tif 000006
【図５】
0006485921.tif 000007
【図６】
0006485921.tif 000008
【図７ａ】
0006485921.tif 000009
【図７ｂ】
0006485921.tif 000010
【図８】
0006485921.tif 000011
【図９】
0006485921.tif 000012
【図１０】
0006485921.tif 000013
【図１１】
0006485921.tif 000014